(57)【特許請求の範囲】
【請求項１】
トリガ信号に応答してメインコンデンサに蓄えられた電荷を放電してストロボ放電管を発光させるとともに調光回路への給電を開始し、この調光回路は、前記給電を受けて充電されるターンオン用コンデンサと、被写体からのストロボ反射光の受光量に応じた光電流を流す受光素子と、前記光電流の積分値が所定レベルに達したときに前記ターンオン用コンデンサを放電させるスイッチング手段と、ストロボ放電管と並列接続されターンオン用コンデンサの所定レベル以上の放電電圧が印加されることによって導通してストロボ放電管の発光を停止させる無接点スイッチとを備えたストロボ装置において、
前記受光素子の出力端子にアノードが接続され、前記ターンオン用コンデンサの正極側端子にカソードが接続されたダイオードを設け、受光素子に流れる光電流の一部をターンオン用コンデンサの充電に用いるようにしたことを特徴とするストロボ装置。
【請求項２】
前記スイッチング手段を、前記光電流を積分する積分コンデンサの端子電圧がベース−エミッタ間に印加され、この積分コンデンサの端子電圧が所定レベルに達したときに導通してターンオン用コンデンサを放電させるスイッチング用トランジスタで構成するとともに、ターンオン用コンデンサに制御用抵抗を直列接続し、ターンオン用コンデンサの充電中はその充電電流によって前記制御用抵抗に生じる電圧で前記スイッチング用トランジスタのエミッタ電位を高くし、スイッチング用トランジスタが導通する前記所定レベルを相対的に高くすることを特徴とする請求項１記載のストロボ装置。
【請求項３】
前記ターンオン用コンデンサの充電中の充電電流により導通して前記積分コンデンサの両端を短絡する制御用スイッチング素子を設けたことを特徴とする請求項１記載のストロボ装置。
【請求項４】
前記ターンオン用コンデンサに直列接続された制御用抵抗が設けられ、前記制御用スイッチング素子は、ターンオン用コンデンサの充電中の充電電流により制御用抵抗に生じる電圧で導通して前記積分コンデンサの両端を短絡することを特徴とする請求項３記載のストロボ装置。
【発明の詳細な説明】
【０００１】
【発明の属する技術分野】
本発明は、調光機能を備えたストロボ装置に関するものである。
【０００２】
【従来の技術】
撮影レンズやシャッタ装置などの撮影機構を組み込んだユニット本体に予め未露光の写真フイルムを内蔵させたレンズ付きフイルムユニットが本出願人により製造販売されている。また、レンズ付きフイルムユニットには、夜間や室内での撮影ができるようにストロボ装置を内蔵したものもある。現在市販されているレンズ付きフイルムユニットに内蔵されたストロボ装置は、主要被写体までの撮影距離等に関係なく１回の発光時に一定のストロボ光量を照射するため、近距離で撮影した場合に、主要被写体が露光オーバーとなっていた。このため、プリント写真上において主要被写体が白く飛んでしまったり、主要被写体を適切な濃度に再現されたとしても、背景が暗くなってしまうといった不都合があった。
【０００３】
一方、一般にオートストロボと称される自動調光機能を有したストロボ装置が知られている。このオートストロボ装置では、ストロボ放電管を発光させると同時に、被写体から反射されてくる光を受光素子で受光し、得られる光電流を積分する。そして、積分量が所定レベルに達したときに、サイリスタ等の無接点スイッチを動作させて、ストロボ放電管でのメインコンデンサの放電を阻止しストロボ放電管の発光を停止する。このようにして適切な露光量が得られるようにしてストロボ光の発光等量を調節している。
【０００４】
上記のようなオートストロボ装置において、他のストロボ装置からのストロボ光等による調光回路の誤作動を防止するものが特公昭５２−４７３２７号公報により知られている。特公昭５２−４７３２７号公報記載のストロボ装置の回路を図９に示すように、このストロボ装置では、メインコンデンサ８０とともに、調光回路８１内のコンデンサ８２が電源回路８３によって充電される。トリガ回路８４よりトリガ電圧がストロボ放電管８５に与えられると、メインコンデンサ８０がストロボ放電管８５を通して放電し、これによりストロボ放電管８５がストロボ光を放出する。
【０００５】
ストロボ発光の開始と同時に、コンデンサ８２は、ストロボ放電管８５，ツェナダイオード８６，抵抗８７を通して放電を開始し、このときにツェナダイオード８６の両端子間に発生する電圧を動作電圧として調光回路８１が動作を開始して、フォトダイオード８８による受光が開始される。そして、フォトダイオード８８によって受光された被写体からの反射光の光量に応じた電荷がコンデンサ８９に蓄積され、このコンデンサ８９の充電電圧がある一定の大きさに達すると、ＵＪＴ９０がＯＮとなる。ＵＪＴ９０がＯＮとなると、これに接続されたコンデンサ９１が抵抗９２を介して放電し、このときに抵抗９２の端子間に発生する電圧がサイリスタ９３のゲート電圧として与えられる。これにより、サイリスタ９３がターンオンし、メインコンデンサ８０がサイリスタ９３を通して放電するようになり、ストロボ発光が停止される。
【０００６】
このストロボ装置によれば、ストロボ発光開始と同時に調光回路８１が機能するため、例えば他のストロボ装置からの光を受光してサイリスタ９３がターンオンされて、メインコンデンサ８０を無駄に放電させてしまうといった誤作動を防止することができる。
【０００７】
【発明が解決しようとする課題】
ところで、上記のように構成されたストロボ装置では、例えば近距離撮影を行ったときや、反射率の高い被写体を撮影したときに、自動調光機能が働かずフル発光して主要被写体が露光オーバーとなるといった問題がある。これは、被写体から反射されてくるストロボ光の光量が大きいために、ストロボ発光開始と同時に充電が開始されるコンデンサ９１の充電電圧がサイリスタ９３をターンオンするのに必要な電圧に達する前に、コンデンサ８９の充電電圧が一定の大きさに達してＵＪＴ９０がオンとなってしまうためである。
【０００８】
本発明は上記問題点を解消するためになされたものであり、近距離撮影を行ったときのフル発光を防止して、露光オーバーの軽減を図ることができる自動調光機能を有したストロボ装置を提供することを目的とする。
【０００９】
【課題を解決するための手段】
上記目的を達成するために、請求項１記載のストロボ装置では、受光素子の出力端子にアノードが接続され、ターンオン用コンデンサの正極側端子にカソードが接続されたダイオードを設け、受光素子に流れる光電流の一部をターンオン用コンデンサの充電に用いるようにしたものである。
【００１０】
請求項２記載のストロボ装置では、上記ダイオードを設けるとともに、スイッチング手段を、光電流を積分する積分コンデンサの端子電圧がベース−エミッタ間に印加され、この積分コンデンサの端子電圧が所定レベルに達したときに導通してターンオン用コンデンサを放電させるスイッチング用トランジスタで構成するとともに、ターンオン用コンデンサに制御用抵抗を直列接続し、ターンオン用コンデンサの充電中はその充電電流によって前記制御用抵抗に生じる電圧で前記スイッチング用トランジスタのエミッタ電位を高くし、スイッチング用トランジスタが導通する前記所定レベルを相対的に高くしたものである。
【００１１】
請求項３記載のストロボ装置では、上記ダイオードを設けるとともに、ターンオン用コンデンサの充電中の充電電流により導通して積分コンデンサの両端を短絡する制御用スイッチング素子を設けたものである。
【００１２】
請求項４記載のストロボ装置では、上記ダイオードを設けるとともに、ターンオン用コンデンサに直列接続された制御用抵抗が設けられ、制御用スイッチング素子を、ターンオン用コンデンサの充電中の充電電流により制御用抵抗に生じる電圧で導通して前記積分コンデンサの両端を短絡するようにしたものである。
【００１４】
【発明の実施の形態】
本発明を実施したストロボ装置を内蔵したレンズ付きフイルムユニットの外観を図１に示す。レンズ付きフイルムユニットは、ユニット本体２と、このユニット本体２を部分的に覆うラベル３とから構成されており、ユニット本体２には各種の撮影機構が組み込まれるとともに、写真フイルムカートリッジが予め装填されている。また、このレンズ付きフイルムユニットは、自動調光機能を有したストロボ装置を備えている。
【００１５】
ユニット本体２の前面には、撮影レンズ４，ファインダ５の対物側窓５ａ，ストロボ光を被写体に向けて照射するストロボ装置のストロボ発光部７，ストロボ用のストロボ操作部材８，調光用の受光窓９が設けられている。また、ユニット本体２の上面には、シャッタボタン１０，残り撮影可能コマ数を表示するカウンタ窓１１，充電完了を表示するライトガイド１２が突出する開口１２ａが設けられている。さらに、背面には、１コマの撮影ごとに回転操作される巻上げノブ１３が露呈され、また対物側窓５ａに対面する位置にファインダ５の接眼側窓（図示省略）が設けられている。ラベル３は、ユニット本体２の中央部分に貼付されており、各部に設けた開口から撮影レンズ４，ファインダ５，カウンタ窓１１等を外部に露呈させている。
【００１６】
ストロボ操作部材８は、ストロボ装置のストロボスイッチに連動しており、これを上方向にスライド移動させてオン位置にセットすると、ストロボスイッチがＯＮとなって充電が行われ、充電完了後にストロボ操作部材８をオン位置のままシャッタボタン１０を押圧操作して撮影を行うと、この撮影に同期してストロボ発光部７よりストロボ光が被写体に向けて照射される。ストロボ操作部材８をオン位置から下方向にスライド移動させて、図示されるオフ位置にセットした場合には、ストロボ発光が禁止される。ライトガイド１２は、ストロボ操作部材８に連動しており、ストロボ操作部材８がオン位置にセットされることによりユニット本体２の上面に突出する。
【００１７】
受光窓９の奥には、調光用の受光素子としてのフォトトランジスタ１６（図３参照）が配されている。ストロボ発光時には、このフォトトランジスタ１６で被写体からの反射光を受光し、ストロボ光量を調節する。
【００１８】
ストロボ装置の回路構成を示す図２において、ストロボ装置は、昇圧回路２１，トリガ回路２２，メインコンデンサ２３，ストロボ放電管２４，調光回路２５，昇圧回路２１の電源となる電池２６からなる。
【００１９】
昇圧回路２１は、ストロボスイッチ２７，発振トランジスタ２８，発振トランス２９，整流用ダイオード３０等から構成されている。発振トランジスタ２８と発振トランス２９は、メインコンデンサ２３を充電するために、電池２６の低電圧を高電圧に変換する周知のブロッキング発振回路を構成している。
【００２０】
ストロボ操作部材８をオン位置にセットすることによって、ストロボスイッチ２７がオンとなる。ストロボスイッチ２７がオンとなっている間に、ブロッキング発振回路が動作して、発振トランス２９の一次コイル２９ａに流れる一次側電流が増減される。この一次側電流の増減により、二次コイル２９ｂに交流の高電圧が発生する。整流用ダイオード３０は、二次コイル２９ｂに発生する交流を整流し出力する。
【００２１】
昇圧回路２１の出力端子間、すなわち発振トランジスタ２８のエミッタ端子と整流用ダイオード３０のアノードとの間には、メインコンデンサ２３が接続されている。このメインコンデンサ２３は、昇圧回路２１からの出力電流で高電圧に充電される。この充電の際に、メインコンデンサ２３は、発振トランジスタ２８側の端子の電位を一定にして、整流用ダイオード３０のアノード側の電位が低くなるようにマイナス充電される。
【００２２】
メインコンデンサ２３の端子間にストロボ放電管２４の各電極が接続されている。ストロボ放電管２４は、ストロボ発光部７内に配されており、トリガ電極２４ａにトリガ電圧が印加されると電極間の絶縁が破れ、電極間でメインコンデンサ２３の電荷が放電することによってストロボ光を放出する。
【００２３】
トリガ回路２２は、トリガコンデンサ３２，シンクロスイッチ３３，トリガコイル３４等から構成されている。トリガコンデンサ３２は、メインコンデンサ２３と同様に、昇圧回路２１からの出力電流で充電される。シンクロスイッチ３３は、シャッタ羽根の開閉に同期してオン，オフされる。ストロボスイッチ２７がオンの状態で、シャッタ羽根が全開してシンクロスイッチ３３がオンとなると、充電されたトリガコンデンサ３２は、トリガコイル３４の一次側に放電電流を流す。トリガコイル３４は、一次側に放電電流が流れると、その二次側に例えば４ｋＶ程度のトリガ電圧を発生し、これをトリガ電極２４ａを介してストロボ放電管２４に印加する。これにより、シャッタ羽根が全開した瞬間にストロボ発光が開始される。
【００２４】
メインコンデンサ２３の充電完了を表示するために、発光ダイオード３６が発振トランス３２の三次コイル２９ｃの端子間に接続されている。メインコンデンサ２３の充電電圧の上昇によって三次コイル３２ｃの端子間の電圧が上昇することにより、発光ダイオード３６は、メインコンデンサ２３が規定充電電圧まで充電されるとブロッキング発振回路が動作中に点灯する。この発光ダイオ−ド３６は、ライトガイド１２の下面に対面した位置に設けられており、撮影者は、ライトガイド１２を通して観察される発光ダイオード３６の点灯により充電完了を知ることができる。
【００２５】
図３に調光回路２５を示す。調光回路２５は、動作電圧発生部４１，受光部４２，スイッチングユニット４３，ターンオン用コンデンサ４４，三端子型のサイリスタ（ＳＣＲ）４５，ダイオード４６等から構成されている。この調光回路２５は、メインコンデンサ２３に対してスロボ放電管２４と並列に接続され、メインコンデンサ２３の両端子にだけ接続される構成となっているため、従来のストロボ装置に変更を加えることなく調光機能を付加することができる。
【００２６】
動作電圧発生部４１は、メインコンデンサ２３の端子間に直列に接続されたコンデンサ４１ａ，抵抗４１ｂ，ツェナダイオード４１ｃからなる。なお、ツェナダイオード４１ｃは、そのカソードがメインコンデンサ２３の整流用ダイオード３５ａ側の端子に接続される向きである。
【００２７】
コンデンサ４１ａは、メインコンデンサ２３の充電時に昇圧回路２１からの出力電流で充電される。このコンデンサ４１ａは、ツェナダイオード４１ｃのアノード側の電位が低くなるようにして、メインコンデンサ２３と同じ充電電圧に充電される。メインコンデンサ２３がストロボ放電管２４を通して放電を開始すると、コンデンサ４１ａは、ストロボ放電管２４，ツェナダイオード４１ｃ，抵抗４１ｂを通して放電する。このときコンデンサ４１ａは、ツェナダイオード４１ｃにツェナ電流を流す向きで放電する。
【００２８】
ツェナダイオード４１ｃは、ツェナ電圧が例えば５．６Ｖ程度のものが用いられており、コンデンサ４１ａの放電中には、アノード・カソードの両端にツェナ電圧と同じ電圧を発生する。このときに発生する電圧は、ツェナダイオード４１ｃのカソード側の電位がアノード側のものより高くなる。ツェナダイオード４１ｃの両端に発生した電圧は、調光用電源電圧として受光回路４２，スイッチングユニット４３，ターンオン用コンデンサ４４に給電される。これにより、調光回路２５は、ストロボ発光の開始と同時に動作を開始し、ストロボ発光中に動作する。
【００２９】
受光部４２は、フォトトランジスタ１６，積分コンデンサ４２ａ，抵抗４２ｂ〜４２ｄからなる。フォトトランジスタ１６は、ユニット本体２の前面の受光窓９を臨む位置に配されており、被写体からのストロボ反射光を受光する。フォトトランジスタ１６は、そのコレクタ端子がツェナダイオード４１ｃのカソードに接続され、フォトトランジスタ１６のエミッタ端子とツェナダイオード４１ｃのアノードとの間には、アノード側から順番に積分コンデンサ４２ａ，抵抗４２ｂ，抵抗４２ｃが直列に接続されている。また、抵抗４２ｄは、抵抗４２ｂと抵抗４２ｃとの接続点Ａと、ツェナダイオード４１ｃのアノードとの間に接続されている。
【００３０】
フォトトランジスタ１６は、ストロボ発光中に調光用電源電圧が与えられることにより、ストロボ反射光を受光し、その受光量に応じた光電流を流す。積分コンデンサ４２ａは、抵抗４２ｃ，４２ｂを介してフォトトランジスタ１６からの光電流により充電される。これにより、フォトトランジスタ１６で受光したストロボ反射光の光量が積分コンデンサ４２ａで積分され、その積分値に応じた積分電圧Ｖａが接続点Ａから出力される。なお、受光素子としては、フォトトランジス１６の代わりに、フォトダイオード等を用いてもよい。
【００３１】
積分コンデンサ４２ａが所定レベルに達したときに導通してターンオン用コンデンサ４４を放電させるスイッチング手段としてのスイッチングユニット４３は、ＮＰＮ型のトランジスタ４３ａと、ＰＮＰ型のトランジスタ４３ｂとからなる。トランジスタ４３ａは、そのベース端子が接続点Ａに接続され、エミッタ端子がツェナダイオード４１ｃのアノードに接続されており、ベース・エミッタ間に抵抗４２ｂを介して積分コンデンサ４２ａの端子電圧が印加される。すなわち、トランジスタ４３ａは、そのベース・エミッタ間に受光量の積分値に応じた積分電圧Ｖａが印加される。
【００３２】
トランジスタ４３ｂは、そのエミッタ端子が抵抗４７を介してツェナダイオード４１ｃのカソードに接続され、コレクタ端子がトランジスタ４３ａのベース端子に、またベース端子がトランジスタ４３ａのコレクタ端子にそれぞれ接続されている。なお、コンデンサ４８は、スイッチングユニット４３が電気的なノイズでオンとなることを防止している。
【００３３】
上記のように接続することにより、トランジスタ４３ａは、積分電圧Ｖａが所定の電圧Ｖ１、例えば０．７Ｖに達すると、エミッタ・コレクタ間が導通したオンとなり、トランジスタ４３ｂは、トランジスタ４３ａがオンとなると、動作電圧発生回路４１からの調光用電源電圧が抵抗４７を介してエミッタ端子に与えられて、ベース電流が流れることによりオンとなる。トランジスタ４３ｂがオンとなると、調光用電源電圧から抵抗４７，トランジスタ４３ｂを介してトランジスタ４３ａにベース電流が流れる。これにより、トランジスタ４３ａが積分電圧Ｖａでがいったんオンとなると、積分電圧Ｖａが低下しても、調光用電源電圧が低下するまで各トランジスタ４３ａ，４３ｂのオンを維持し、スイッチングユニット４３のオンが継続される。
【００３４】
したがって、この例ではトランジスタ４３ａがスイッチング用トランジスタであり、このトランジスタ４３ａがオンすることで、詳細を後述するターンオン用コンデンサ４４の放電が行われて、サイリスタ４５にゲート電圧が印加される。なお、スイッチング手段をトランジスタ４３ａだけで構成してもよい。しかしながら、上記のようにトランジスタ４３ｂを付加すればターンオン用コンデンサ４４を放電するのに十分な時間を得ることができて、サイリスタ４５を確実にターンオンさせることができる。
【００３５】
ターンオン用コンデンサ４４は、その一端がツェナダイオード４１ｃのアノードに接続され、他端が抵抗４９の一端に接続されている。抵抗４９は、その他端がツェナダイオード４１ｃのカソードに接続されている。ターンオン用コンデンサ４４は、ストロボ発光開始と同時に調光用電源電圧が抵抗４９を介して給電されることにより、その充電が開始され、充電電圧は最大でツェナダイオード４１ｃのツェナ電圧に達する。スイッチングユニット４３がオンとなると、抵抗４９，抵抗４７，オンとなっているスイッチングユニット４３を介してターンオン用コンデンサ４４が放電し、この放電電流が抵抗４９に流れることによって抵抗４９の端子間に放電電流と抵抗４９の抵抗値に応じた放電電圧が発生する。
【００３６】
無接点スイッチとしてのサイリスタ４５は、抵抗４９の両端にゲートとカソードが接続されおり、アノードがメインコンデンサ２３の発振トランジスタ３１のベース端子側の端子に接続されている。すなわち、サイリスタ４５は、アノード・カソード間にメインコンデンサ２３の充電電圧が印加され、ゲート・カソード間にターンオン用コンデンサ４４が放電したときに抵抗４９の端子間に発生する放電電圧がゲート電圧として印加される。
【００３７】
サイリスタ４５は、所定レベル以上のゲート電圧が印加されたときにターンオンしてアノード・カソードを導通する。サイリスタ４５がターンオンすると、メインコンデンサ２３は、ストロボ放電管２４よりもインピーダンスが低いサイリスタ４５のアノード・カソード間を通して放電するようになり、ストロボ発光が停止する。
【００３８】
ところで、サイリスタ４５をターンオンするためには、ターンオン用コンデンサ４４が放電した際に、抵抗４９の端子間にサイリスタ５４をターンオンするのに必要なゲート電圧を発生させる必要があり、そのためにスイッチングユニット４３がオンとなった時点で、ターンオン用コンデンサ４４の充電電圧Ｖｂが所定の電圧Ｖ２、例えば４Ｖ以上に達している必要がある。
【００３９】
しかしながら、ターンオン用ターンオン用コンデンサ４４は、前述のようにストロボ発光開始と同時に充電が開始され、また抵抗４９を介して充電される。さらには、動作電圧発生部４１で発生する調光用電源電圧は、ストロボ発光開始の時点から徐々に電圧が上昇し、ツェナダイオ−ド４１ｃのツェナ電圧に達する。このため、ターンオン用ターンオン用コンデンサ４４が瞬間的にフル充電されるわけではない。
【００４０】
したがって、主要被写体までの撮影距離が短い場合や、被写体の反射率が高い場合には、受光するストロボ反射光が強いために、ターンオン用ターンオン用コンデンサ４４の充電電圧Ｖｂが電圧Ｖ２に達する前に、スイッチングユニット４３がオンとなり、ターンオン用コンデンサ４４が放電を開始してしまい、サイリスタ４５がターンオンせずにストロボがフル発光してしまうことがある。
【００４１】
このような不都合を防止するために、調光回路２５には、ダイオード４６が設けられている。ダイオード４６は、そのアノードが光電流が出力されるフォトトランジスタ１６のエミッタ端子に接続され、カソードがターンオン用コンデンサ４４の正極側端子である他端（抵抗４９側）に接続されている。これにより、抵抗４９を介して供給される電流の他に、フォトトランジスタ１６からの光電流の一部をダイオード４６を介してターンオン用コンデンサ４４に供給し、それを充電する。
【００４２】
上記のようにダイオード４６を接続して、光電流の一部をターンオン用コンデンサ４４に供給することにより、ターンオン用コンデンサ４４がサイリスタ４５をターンオンするのに最低限必要な電圧Ｖ２に達するまでの充電時間を短縮するとともに、ターンオン用コンデンサ４４の充電中に積分コンデンサ４２ａに流れる電流を少なくして、その充電電圧Ｖａが所定の電圧Ｖ１に達するまでの時間を遅延させるように受光部５１の機能を低下させ、主要被写体までの撮影距離が短い場合や、また被写体の反射率が高い場合であっても、スイッチングユニット４３がオンとなるまでに、ターンオン用ターンオン用コンデンサ４４の充電電圧Ｖｂが所定の電圧Ｖ２に達するようにしている。
【００４３】
なお、ダイオード４６を抵抗４９と並列に接続して、すなわちダイオード４６のアノードをフォトトランジスタ１６のエミッタ端子に接続する代わりに、ツェナダイオード４１ｃのカソードに接続することにより、ターンオン用コンデンサ４４の充電時間を短縮することも可能である。しかしながら、このストロボ装置では、上記のような至近距離等でのストロボ撮影の不具合を解消する他に、詳細を後述するようにフル発光すべき撮影シーンでストロボを正しくフル発光させるという別の機能をダイオード４６に同時に持たせるため、そのアノードをフォトトランジスタ１６のエミッタ端子に接続してある。
【００４４】
調光回路２５は、撮影距離にかかわらず、レンズ付きフイルムユニットの絞り値に対してほぼ適切なストロボ発光量が得られるように、受光部５１の機能を低下考慮して、フォトトランジスタ１６の感度、積分コンデンサ４２ａの静電容量が調節されている。
【００４５】
なお、上記に説明した昇圧回路２１，トリガ回路２２の構成は一例であり、メインコンデンサ２３の端子間にストロボ放電管２４の各電極が直接に接続されているものであれば、メインコンデンサ２３を充電するための回路やトリガ回路の構成はどのようなものであってものよい。
【００４６】
次に上記構成の作用について説明する。ストロボ撮影を行う場合にはストロボ操作部材８を操作してオン位置にセットする。この操作により、ストロボスイッチ２７がオンとなり、昇圧回路２１が動作を開始する。昇圧回路２１の動作中では、これからの出力電流により、メインコデンサ２３，トリガコンデンサ３２，コンデンサ４１ａがそれぞれ充電される。
【００４７】
メインコンデンサ２３が規定充電電圧まで充電されると、発光ダイオード３６が点灯する。撮影者は、この発光ダイオード３６の点灯を確認したならば、ファインダ５を除いて構図を決めた後にシャッタボタン１０を押圧して撮影を行う。
【００４８】
シャッタボタン１０の押圧により、シャッタ羽根の開閉が行われる。そして、シャッタ羽根が全開した瞬間にシンクロスイッチ３３がオンとなってトリガコンデンサ３２が放電し、トリガコイル３４で発生したトリガ電圧がストロボ放電管２４に印加される。トリガ電圧の印加により、ストロボ放電管２４の電極間の絶縁が破れメインコンデンサ２３がストロボ放電管２４を通して放電する。これにより、ストロボ放電管２４によるストロボ発光が開始される。ストロボ放電管２４から放出されたストロボ光は、ストロボ発光部７より被写体に向けて照射される。
【００４９】
また、このストロボ発光の開始と同時に、動作電圧発生部４１のコンデンサ４１ａは、ストロボ放電管２４，ツェナダイオード４１ｃ，抵抗４１ｂを通して放電を開始するため、ツェナダイオード４１ｃの両端に調光用電源電圧が発生し、この調光用電源電圧はストロボ発光中に継続して発生する。
【００５０】
ストロボ光が主要被写体に照射され、その反射光の一部が受光窓９を通してフォトトランジスタ１６に入射する。受光部４１には、調光用電源電圧が印加されているから、フォトトランジスタ１６は、入射する反射光の光量に応じた大きさの光電流が流れ、積分コンデンサ４２ａが充電される。これにより、フォトトランジスタ１６で受光したストロボ反射光の光量が積分され、その積分値に応じて積分電圧Ｖａが上昇する。
【００５１】
一方、ターンオン用コンデンサ４４は、調光用電源電圧が発生すると、抵抗４９を介して流れる電流で充電されるとともに、ダイオード４６を介してフォトトランジスタ１６のエミッタ端子に接続されているから、フォトトランジスタ１６からの光電流の一部が流れ込んで充電され、その充電電圧Ｖｂが上昇する。
【００５２】
ストロボ発光の継続により、フォトトランジスタ１６の受光量の積分値が増大するのにともなって、積分電圧Ｖａが電圧Ｖ１に達すると、スイッチングユニット４３がオンとなる。スイッチングユニット４３がオンとなると、ターンオン用ターンオン用コンデンサ４４が抵抗４９，抵抗４７，スイッチングユニット４３を通して放電し、このときに抵抗４９の両端に発生する放電電圧がサイリスタ４５のゲート電圧として与えられる。
【００５３】
主要被写体までの距離が近いときには、フォトトランジスタ１６に入射する光量は大きく、図４に示すように、積分コンデンサ４２ａの充電電圧が急激に上昇し、ストロボ発光から短時間で積分電圧Ｖａが電圧Ｖ１に達して、スイッチングユニット４３がオンとなる。
【００５４】
図４中に破線で示すように、ダイオ−ド４６を設けていない場合では、ターンオン用コンデンサ４４は、抵抗４９を介して流れる電流だけによって充電されるから、ターンオン用コンデンサ４４の充電電圧Ｖｂの上昇率は低く、充電電圧Ｖｂが所定の電圧Ｖ２に達する前に積分電圧Ｖａが電圧Ｖ１に達してしまうことがある。そして、このときにはスイッチングユニット４３がオンとなってターンオン用コンデンサ４４が放電しても、抵抗４９の端子間にサイリスタ４５をターンオンするのに必要なゲート電圧を得ることができないから、サイリスタ４５はターンオンしない。したがって、ストロボ放電管２４はメインコデンサ２３の充電電圧が放電維持電圧を下回るまで発光を継続する。結果として、ストロボがフル発光してしまい、主要被写体が過度の露光オーバーとなってしまう。
【００５５】
しかしながら、本発明のストロボ装置では、調光用電源電圧によって抵抗４９を介して流れる電流でターンオン用コンデンサ４４が充電されるとともに、上記のようにダイオード４６を設けてフォトトランジスタ１６から積分コンデンサ４２ａに供給されるべき光電流の一部をターンオン用コンデンサ４４に流して充電を行っている。このため、図４中に実線で示すように、積分コンデンサ４２ａの充電電圧Ｖａがダイオード４６を設けていない場合と比べて緩やかに上昇するとともに、ターンオン用コンデンサ４４は急速に充電され、その充電電圧Ｖｂは、ダイオード４６がない場合と比べて短い時間で所定の電圧Ｖ２に達する。
【００５６】
そして、主要被写体までの撮影距離が短いほど、また主要被写体の反射率が高いほど、ダイオード４６を介してターンオン用コンデンサ４４に供給される電流が大きくなるから、積分電圧Ｖａが電圧Ｖ１に達する時間が短くなるのに追随するように充電電圧Ｖｂが電圧Ｖ２に達する時間も短くなる。
【００５７】
上記のようなダイオード４６の機能により、積分電圧Ｖａがスイッチングユニット４３をオンとする電圧Ｖ１に達するまでに、ターンオン用コンデンサ４４がサイリスタ４５をターンオンするのに必要な電圧Ｖ２に達する。そして、積分電圧Ｖａが電圧Ｖ１に達してスイッチングユニット４３をオンとなり、ターンオン用ターンオン用コンデンサ４４が放電すると、この放電によって抵抗４９の端子間にサイリスタ４５をターンオンするのに必要なゲート電圧が発生する。
【００５８】
このゲート電圧の印加によりサイリスタ４５がターンオンし、そのアノード・カソードが導通する。このサイリスタ４５の導通により、メインコンデンサ２３は、ストロボ放電管２４よりもインピーダンスが低いサイリスタ４５を通して放電するようになり、ストロボ放電管２４の電極間電圧が放電維持電圧を下回ってストロボ放電管２４によるメインコデンサ２３の放電が停止して、ストロボ発光が停止する。この後、メインコンデンサ２４の充電電圧が所定の電圧まで低下するとサイリスタ４５がターンオフする。また、積分コンデンサ４２ａは、スイッチングユニット４３がオフとなった後では、抵抗４２ｂ，４２ｄを介して放電して初期化される。
【００５９】
結果として、主要被写体までの距離が近いときや主要被写体の反射率が高い場合でも、ストロボがフル発光することが防止される。そして、レンズ付きフイルムユニットに設定されている絞り値に対してほぼ適正となるストロボ光量での撮影が行われる。したがって、ストロボ光で照明された主要被写体をプリント写真上に適切な濃度に再現することができると同時に、ストロボ光の照明効果がなく室内の光源を光源とするような背景についても適度な明るさで再現することができる。
【００６０】
上記の説明では、フォトトランジスタ１６を、そのコレクタ−ベース間の容量成分、すなわちコレクタ出力容量（Ｃｏｂ）がない理想的なものとして説明したが、実際にはコレクタ出力容量は少なからず存在する。このコレクタ出力容量が存在すると、調光用電源電圧が発生してフォトトランジスタ１６のコレクタ端子に印加された瞬間に、コレクタ出力容量を通してフォトトランジスタにベース電流が流れるため、そのベース電流に応じたコレクタ電流、すなわち積分コンデンサを充電する電流（以下、突入電流という）が流れる。
【００６１】
このため、例えば被写体までの撮影距離が長く、サイリスタ４５をターンオンさせずにストロボをフル発光すべき撮影シーンであっても、ダイオード４６を接続していない場合では、ストロボ発光の初期に突入電流で積分コンデンサ４２ａがある程度充電され、その後に積分電圧が上昇してサイリスタ４５がターンオンしてしまい、フル発光することなくストロボ発光が途中で停止されてしまうといった問題が発生する。
【００６２】
しかしながら、本発明のストロボ装置では、前述のようにダイオード４６をフォトトランジスタ１６とターンオン用コンデンサ４４との間に接続してあるため、このダイオード４６を介して突入電流をターンオン用コンデンサ４４を充電するように流すことができるため、ストロボ発光を途中で停止することなくフル発光させることができる。
【００６３】
図５は、制御用抵抗を付加することにより、ターンオン用コンデンサの充電中におけるスイッチング用トランジスタがオンする電圧レベルを相対的に高くする例を示すものである。なお、以下に説明する他は、上記実施形態と同じであり、上記実施形態と同じ構成部材には図５中に同一の符号を付し、その詳細な説明を省略する。
【００６４】
この例では、図５に示されるように、スイッチングユニット４３のトランジスタ４３ａのエミッタ端子とターンオン用コンデンサ４４との接続点は、制御用抵抗５１を介してツェナダイオード４１ｃのアノードに接続されており、ターンオン用コンデンサ４４を充電する充電電流を制御用抵抗５１に流すれるようにされていおる。これにより、ターンオン用コンデンサ４４の充電中に制御用抵抗５１の端子間に生じる電圧でトランジスタ４３ａのエミッタ電位が高くする。
【００６５】
この構成による作用を図６を参照して説明する。上記実施形態と同様に、ストロボ発光が開始されると積分コンデンサ４２ａが充電され、積分電圧Ｖａが上昇する。また、ターンオン用コンデンサ４４の充電が開始され、その充電電圧Ｖｂが上昇する。
【００６６】
ターンオン用コンデンサ４４の充電が開始されると、制御用抵抗５１に充電電流が流れて、その制御用抵抗５１の端子間に電圧ＶR が発生して、トランジスタ４３ａのエミッタ端子は電位ＶR となる。そして、このときに制御用抵抗５１に流れる充電電流は、ターンオン用コンデンサ４４からツェナダイオード４１ｃのアノードに向けて流れるから、エミッタ電位ＶR はツェナダイオード４１ｃのアノードと積分コンデンサ４２ａとの接続点の電位よりも高くなる。
【００６７】
ターンオン用コンデンサ４４の充電が進み、充電電圧Ｖｂが上昇にすると、これにしたがって制御用抵抗５１に流れる充電電流が減少するため、エミッタ電位ＶR が徐々に低下する。なお、実際には、ストロボ発光開始直後にツェナダイード４１ｃの両端に発生する調光用電源電圧が徐々に高くなり、その後一定となるように変化するため、この調光用電源電圧の変化の影響を受けてエミッタ電位ＶR が変化する。
【００６８】
例えば積分電圧Ｖａが電圧Ｖ１に達した時点で、ターンオン用コンデンサ４４の充電が完了していない場合には、この時点では制御用抵抗５１に電流が流れているため、エミッタ電位ＶR は０Ｖよりも高い。このため、積分電圧Ｖａが電圧Ｖ１に達していても、トランジスタ４３ａのベース・エミッタ間電圧、すなわち積分電圧Ｖａとエミッタ電位ＶR の差（Ｖａ−ＶR ）は、電圧Ｖ１よりも小さいのでトランジスタ４３ａはオンとならない。
【００６９】
この後、ストロボ発光の継続により積分電圧Ｖａが上昇し、またターンオン用コンデンサ４４の充電電圧が高くなるのにしたがって、エミッタ電位ＶR が低下し、これらの差（Ｖａ−ＶR ）が電圧Ｖ１となると、トランジスタ４３ａがオンとなり、スイッチングユニット４３自体がオンとなる。そして、スイッチングユニット４３のオンにより、ターンオン用コンデンサ４４が抵抗４９を介して放電し、サイリスタ４５にゲート電圧が印加される。
【００７０】
結果として、ターンオン用コンデンサ４４の充電中では、スイッチングユニット４３がオンとなる積分電圧Ｖａが電圧Ｖ１より高められ、スイッチングユニット４３のオンが遅延される。そして、スイッチングユニット４３のオンが遅延された分だけターンオン用コンデンサ４４の充電が進む。これにより、制御用抵抗５１を設けていない場合と比べて、より近距離、また反射率が高い主要被写体に対しても、ストロボがフル発光することを防止できる。なお、スイッチングユニット４３のオンの遅延が発生した場合には、その分だけ露光オーバとなるが。その露光オーバ分は僅かであるから、実用上影響はない。
【００７１】
なお、ターンオン用コンデンサ４４がフル充電されてから積分電圧Ｖａが電圧Ｖ１に達した場合には、制御用抵抗５１に電流が流れていないためエミッタ電位ＶR は０Ｖとなっている。したがって、積分電圧Ｖａが電圧Ｖ１に達した時点でスイッチングユニット４３がオンとなってストロボ発光が停止されるので、露光オーバになることはない。
【００７２】
上記実施形態では、ダイオード４６と抵抗５１とを併設した例について説明したが、制御用抵抗５１だけを用いても、スイッチングユニット４３のオンを遅延させることができ、フル発光の発生を軽減する効果がある。なお、制御用抵抗５１は、ターンオン用コンデンサ４４の充電時間に影響を与えるため、これを考慮して制御用抵抗５１の抵抗値を十分に検討して選定する必要がある。
【００７３】
図７は、ターンオン用コンデンサの充電中に流れる充電電流に応じてオンされて、積分コンデンサの端子間を短絡する制御用スイッチング素子を設けた例を示すものである。なお、以下に説明する他は、図５に示す実施形態と同じであり、同じ構成部材には図７中に同一の符号を付し、その詳細な説明を省略する。
【００７４】
図７に示されるように、制御用スイッチング素子としての制御用トランジスタ５２は、そのコレクタ端子が接続点Ａに、エミッタ端子がツェナダイオード４１ｃのアノードにそれぞれ接続されている。また、この制御用トランジスタ５２のベース端子は、スイッチングユニット４３のトランジスタ４３ａのコレクタ端子に接続されている。
【００７５】
このように接続することにより、制御用トランジスタ５２は、ターンオン用コンデンサ４４を充電する充電電流で制御用トランジスタ５２をオンとする。より詳しくは、制御用トランジスタ５２は、制御用抵抗５１の端子間に発生する電圧がベース・エミッタ電圧として与えられるため、ターンオン用コンデンサ４４の充電中に流れる充電電流が所定の大きさ以上で、制御用抵抗５１の端子間に発生する電圧が電圧Ｖ３、例えば０．７Ｖ以上のときにオンとなる。制御用トランジスタ５２がオンの間は、抵抗４２ｂを介して積分コンデンサ４２ａの端子間が短絡され、この積分コンデンサ４２ａでの積分が禁止される。すなわち、受光部４２の機能が一時的に停止される。なお、受光部４２は、トランジスタ５２による積分コンデンサ４２ａでの積分の禁止にともなう機能停止を考慮して、フォトトランジスタ１６の感度、積分コンデンサ４２ａの静電容量等が調整されている。
【００７６】
上記構成の作用について図８を参照して説明する。ストロボ発光が開始されると、ターンオン用コンデンサ４４を充電する充電電流が制御用抵抗５１に流れ、制御用抵抗５１の端子間に発生する電圧が制御用トランジスタ５２のベース・エミッタ電圧として与えられる。充電初期では、比較的に大きな充電電流が流れるから、制御用トランジスタ５２は、そのベース・エミッタ電圧が大きくなってオンとなる。制御用トランジスタ５２がオンとなると、抵抗４２ｂを介して積分コンデンサ４２ａの端子間が短絡されるから、積分コンデンサ４４は光電流で充電されない。したがって、積分電圧Ｖａは、極めて低い値で一定に保たれる。
【００７７】
ターンオン用コンデンサ４４の充電電圧Ｖｂの上昇にともない、制御用抵抗５１に流れる充電電流が減少し、これにしたがって制御用トランジスタ５２のベース・エミッタ電圧が低下する。そして、制御用抵抗５１に流れる充電電流が所定値より小さくなった時点でトランジスタ５２がオフとなり、その時点より光電流による積分コンデンサ４２ａの充電が開始されて、積分電圧Ｖａが上昇する。
【００７８】
ターンオン用コンデンサ４４の充電が完了した後に、積分電圧Ｖａが電圧Ｖ１に達すると、充電電流が制御用抵抗５１に流れていないので、積分電圧Ｖａが電圧Ｖ１に達したその時点でトランジスタ４３ａがオンとなる。
【００７９】
なお、ターンオン用コンデンサ４４の充電中に積分電圧Ｖａが電圧Ｖ１に達した場合には、その時点で充電電流が制御用抵抗５１に流れており、トランジスタ４３ａのエミッタ電位ＶR を高くしているから、積分電圧Ｖａとエミッタ電位ＶR の差（Ｖａ−ＶRE）が電圧Ｖ１に達した時点でトランジスタ４３ａがオンとなる。
【００８０】
結果として、制御用トランジスタ５２によりストロボ発光開始から適当な時間だけ受光部の機能が停止されるので、撮影距離が近いときや反射率の高い被写体を撮影する場合においても、ターンオン用コデンンサ４４の充電電圧Ｖｂが電圧Ｖ２に達してからスイッチングユニット４３がオンとなるようにすることができ、ストロボのフル発光を防止できる。
【００８１】
なお、上記実施形態では、ダイオード４６を備えた調光回路に制御用トランジスタ５２を接続した例について説明したが、ダイオード４６を設けなくてもよい。また、制御用抵抗５１を省略し、ターンオン用コンデンサ４４を充電する充電電流を直接に制御用トランジスタ５２のベース電流として流して、制御用トランジスタ５２をオンとする構成とすることもできる。この場合には、ターンオン用コンデンサ４４の充電が進み、制御用トランジスタ５２のベース電圧は所定レベルまで低下して、この制御トランジスタ５２のベース電流が流れなくなると、その時点でターンオン用コンデンサ４４の充電が停止されるので、その時点でターンオン用コンデンサ４４の充電電圧Ｖｂが電圧Ｖ２以上となるように回路定数を調整する必要がある。
【００８２】
上記各実施形態では、無接点スイッチとしてサイリスタを用いているが、機能的に同等のものであれば、その他の無接点スイッチを用いてもよい。また、レンズ付きフイルムユニットに本発明のストロボ装置に適用した例について説明したが、本発明のストロボ装置は、カメラに内蔵されるストロボ装置や、カメラに装着されて利用されるストロボ装置にも利用できる。
【００８３】
【発明の効果】
以上に述べたように、本発明によれば、ストロボ放電管の発光により給電が開始されて充電されるターンオン用コンデンサを、ストロボ反射光の受光量に応じた光電流の積分値が所定レベルに達したときに放電させて、所定レベル以上の放電電圧を無接点スイッチに印加することにより、ストロボ放電管の発光を停止させるストロボ装置において、受光素子に流れる光電流の一部でターンオン用コンデンサが充電されるようにダイオードを設け、撮影距離が近いときや反射率の高い被写体を撮影する場合ほど充電時間が短くなるようにしたから、撮影距離が近いときや反射率の高い被写体を撮影する場合でも、無接点スイッチを導通するのに必要な電圧までターンオン用コンデンサが充電された後に、このターンオン用コンデンサを発光停止のために放電させることができ、適切な調光を行うことができる。また、撮影距離が遠いとき等のようにフル発光すべき撮影シーンにおいても、正しくフル発光させることができる。
【００８４】
また、ターンオン用コンデンサの充電中に流れる電流でスイッチングトランジスタのエミッタ電位を高くする制御用抵抗をターンオン用コンデンサに直列接続して、ターンオン用コンデンサの充電中におけるスイッチング用トランジスタが導通するレベルを相対的に高くしたから、ターンオン用コンデンサの充電中でのスイッチング手段のオンが遅延される分だけターンオン用コンデンサの充電を進めることができるため、撮影距離が近いときや反射率の高い被写体を撮影する場合でも、無接点スイッチを導通するのに必要な電圧までターンオン用コンデンサが充電された後に、このターンオン用コンデンサを発光停止のために放電させることができ、適切な調光を行うことができる。
【００８５】
さらに、ターンオン用コンデンサの充電中の充電電流により導通して積分コンデンサの両端を短絡する制御用スイッチング素子を設けたから、ターンオン用コンデンサが適当なレベルに充電されてから光量積分が行われるので、撮影距離が近いときや反射率の高い被写体を撮影する場合でも、無接点スイッチを導通するのに必要な電圧までターンオン用コンデンサが充電された後に、このターンオン用コンデンサを発光停止のために放電させることができ、適切な調光を行うことができる。
【図面の簡単な説明】
【図１】本発明を実施したレンズ付きフイルムユニットの外観を示す斜視図である。
【図２】本発明のストロボ装置を示す回路図である。
【図３】調光回路を示す回路図である。
【図４】調光回路の動作を説明する波形図である。
【図５】調光回路に制御用抵抗を設けた例を示す回路図である。
【図６】図５の例における調光回路の動作を説明する波形図である。
【図７】調光回路に制御用スイッチング素子を設けた例を示す回路図である。
【図８】図７の例における調光回路の動作を説明する波形図である。
【図９】従来の調光回路を備えたストロボ装置を示す回路図である。
【符号の説明】
７  ストロボ発光部
９  受光窓
１６  フォトトランジスタ
２３  メインコンデンサ
２４  ストロボ放電管
２５  調光回路
４２  受光部
４２ａ  積分コンデンサ
４３  スイッチングユニット
４３ａ，４３ｂ  トランジスタ
４４  ターンオン用コンデンサ
４５  サイリスタ
４６  ダイオード
４９  抵抗
５１  制御用抵抗
５２  制御用トランジスタ
【図１】
0004250351.tif 000002
【図２】
0004250351.tif 000003
【図３】
0004250351.tif 000004
【図４】
0004250351.tif 000005
【図５】
0004250351.tif 000006
【図６】
0004250351.tif 000007
【図７】
0004250351.tif 000008
【図８】
0004250351.tif 000009
【図９】
0004250351.tif 000010